(57)【要約】【課題】メタルケーブルに接続された電話機を、従来では接続できなかった光ハブに接続する。【解決手段】メタルケーブルＣ２を介して電話機８と接続される電話コンセント２と、光ケーブルＣ３を介してパソコン９と接続されるＰＯＦコンセント３とをそれぞれ複数備えるとともに、ルータ１４、端子台１２、光ハブ１３および変換装置１５を収容するマルチメディアポート１を備えた。変換装置１５は、光ハブ１３の一の光ポートと端子台１２との間に介設され、その光ポートからＩＰ電話用のＩＰパケットを光信号で受信し、そのＩＰパケットから得られるＩＰ電話の通話内容をアナログ電気信号で端子台１２に出力する一方、端子台１２からＩＰ電話の通話内容をアナログ電気信号で受信し、その通話内容を含むＩＰ電話用のＩＰパケットを光信号で上記光ポートに出力する。【選択図】  図１
2004356768.tif 000002
【特許請求の範囲】
【請求項１】
メタルケーブルを介して電話機と接続される電話コンセントと、光ケーブルを介して端末機器と接続される光コンセントとをそれぞれ複数備えるとともに、各種内器を収容する情報盤を備えるマルチメディア配線システムであって、
前記情報盤は、
光ケーブルを介してインターネットと接続されるＷＡＮ側光ポートを備えるとともに、ＬＡＮ側光ポートを備え、インターネットとＬＡＮ側との間で送受信されるＩＰパケットの転送を行うルータと、
先行配線されたメタルケーブルを介して、相互接続される前記複数の電話コンセントと接続される端子台と、
相互通信用の複数の光ポートを備え、これら複数の光ポートのうち、一の光ポートは前記ルータのＬＡＮ側光ポートと接続され、別の一の光ポートは前記端子台側に接続され、残りの光ポートの全部または一部は、先行配線された複数の光ケーブルを介して前記複数の光コンセントとそれぞれ接続される光ハブと、
前記別の一の光ポートと前記端子台との間に介設され、前記別の一の光ポートからＩＰ電話用のＩＰパケットを光信号で受信し、そのＩＰパケットから得られるＩＰ電話の通話内容をアナログ電気信号で前記端子台に出力する一方、前記端子台からＩＰ電話の通話内容をアナログ電気信号で受信し、その通話内容を含むＩＰ電話用のＩＰパケットを光信号で前記別の一の光ポートに出力する変換装置と
を前記内器として収容することを特徴とするマルチメディア配線システム。
【請求項２】
メタルケーブルを介して電話機と接続される電話コンセントと、光ケーブルを介して端末機器と接続される光コンセントとをそれぞれ複数備えるとともに、各種内器を収容する情報盤と、変換装置とを備えるマルチメディア配線システムであって、
前記情報盤は、
光ケーブルを介してインターネットと接続されるＷＡＮ側光ポートを備えるとともに、ＬＡＮ側光ポートを備え、インターネットとＬＡＮ側との間で送受信される情報を転送するルータと、
先行配線されたメタルケーブルを介して、相互接続される前記複数の電話コンセントと接続される端子台と、
相互通信用の複数の光ポートを備え、これら複数の光ポートのうち、一の光ポートは前記ルータのＬＡＮ側光ポートと接続され、残りの光ポートの全部または一部は、先行配線された複数の光ケーブルを介して前記複数の光コンセントとそれぞれ接続される光ハブと
を前記内器として収容し、
前記変換装置は、前記複数の光コンセントのうちの一の光コンセントと前記複数の電話コンセントのうちの一の電話コンセントとの間に介設され、前記一の光コンセントからＩＰ電話用のＩＰパケットを光信号で受信し、そのＩＰパケットから得られるＩＰ電話の通話内容をアナログ電気信号で前記一の電話コンセントに出力する一方、前記一の電話コンセントからＩＰ電話の通話内容をアナログ電気信号で受信し、その通話内容を含むＩＰ電話用のＩＰパケットを光信号で前記一の光コンセントに出力する
ことを特徴とするマルチメディア配線システム。
【請求項３】
メタルケーブルを介して電話機と接続される電話コンセントと、光ケーブルを介して端末機器と接続される光コンセントとをそれぞれ複数備えるとともに、各種内器を収容する情報盤と、ルータと、変換装置とを備えるマルチメディア配線システムであって、
前記情報盤は、
先行配線されたメタルケーブルを介して、相互接続される前記複数の電話コンセントと接続される端子台と、
相互通信用の複数の光ポートを備え、これら複数の光ポートの全部または一部が、先行配線された複数の光ケーブルを介して前記複数の光コンセントとそれぞれ接続される光ハブと
を前記内器として収容し、
前記ルータは、光ケーブルを介してインターネットと接続されるＷＡＮ側光ポートを備えるとともに、前記複数の光コンセントのうちの一の光コンセントと光ケーブルを介して接続されるＬＡＮ側光ポートを備え、インターネットとＬＡＮ側との間で送受信される情報を転送し、
前記変換装置は、前記複数の光コンセントのうちの別の光コンセントと前記複数の電話コンセントのうちの一の電話コンセントとの間に介設され、前記別の光コンセントからＩＰ電話用のＩＰパケットを光信号で受信し、そのＩＰパケットから得られるＩＰ電話の通話内容をアナログ電気信号で前記一の電話コンセントに出力する一方、前記一の電話コンセントからＩＰ電話の通話内容をアナログ電気信号で受信し、その通話内容を含むＩＰ電話用のＩＰパケットを光信号で前記別の光コンセントに出力する
ことを特徴とするマルチメディア配線システム。
【請求項４】
メタルケーブルを介して電話機と接続される電話コンセントと、光ケーブルを介して端末機器と接続される光コンセントとをそれぞれ複数備えるとともに、各種内器を収容する情報盤と、先行配線されたメタルＬＡＮケーブルを介して前記情報盤と接続されるＬＡＮコンセントと、前記複数の光コンセントのうちの一の光コンセントと前記ＬＡＮコンセントとの間に介設され、前記一の光コンセントからの光信号を電気信号に変換して前記ＬＡＮコンセントに出力する一方、前記ＬＡＮコンセントからの電気信号を光信号に変換して前記一の光コンセントに出力する盤外変換装置とを備えるマルチメディア配線システムであって、
前記情報盤は、
光ケーブルを介してインターネットと接続されるＷＡＮ側光ポートを備えるとともに、ＬＡＮ側光ポートを備え、インターネットとＬＡＮ側との間で送受信される情報を転送するルータと、
先行配線されたメタルケーブルを介して、相互接続される前記複数の電話コンセントと接続される端子台と、
相互通信用の複数の光ポートを備え、これら複数の光ポートのうち、一の光ポートは前記ルータのＬＡＮ側光ポートと接続され、残りの光ポートの全部または一部は、先行配線された複数の光ケーブルを介して前記複数の光コンセントとそれぞれ接続される光ハブと、
前記ＬＡＮコンセントと前記端子台との間に介設され、前記ＬＡＮコンセントからＩＰ電話用のＩＰパケットを受信し、そのＩＰパケットから得られるＩＰ電話の通話内容をアナログ電気信号で前記端子台に出力する一方、前記端子台からＩＰ電話の通話内容をアナログ電気信号で受信し、電気信号で前記ＬＡＮコンセントに出力する盤内変換装置と
を前記内器として収容することを特徴とするマルチメディア配線システム。
【請求項５】
前記端子台は、先行配線された複数のメタルケーブルを介して前記複数の電話コンセントとそれぞれ接続され、それら複数のメタルケーブルを内部配線により相互接続することを特徴とする請求項１から４のいずれかに記載のマルチメディア配線システム。
【請求項６】
前記端子台は、送り配線で先行配線されたメタルケーブルを介して前記複数の電話コンセントとそれぞれ接続されることを特徴とする請求項１から４のいずれかに記載のマルチメディア配線システム。
【請求項７】
請求項１から６のいずれかに記載のマルチメディア配線システムにおける前記情報盤としてのマルチメディアポート。
【発明の詳細な説明】
【０００１】
【発明の属する技術分野】
本発明は、メタルケーブルを介して電話機と接続される電話コンセントと、光ケーブルを介して端末機器と接続される光コンセントとをそれぞれ複数備えるとともに、各種内器を収容する情報盤を備えるマルチメディア配線システムおよびマルチメディアポートに関するものである。
【０００２】
【従来の技術】
図１０に従来のマルチメディア配線システムの構成例を示す。この図のマルチメディア配線システムは、電話用ツイストペアケーブルなどのメタルケーブルＣ２を介して、電話機８と接続される電話コンセント２と、例えばＩＥＥＥ８０２．３用のメタルＬＡＮケーブルＣ３ＰＡを介して、端末機器（図１０ではパソコン９）と接続されるＬＡＮコンセント３ＰＡとをそれぞれ複数備えているとともに、ＯＮＵ（Ｏｐｔｉｃａｌ  Ｎｅｔｗｏｒｋ  Ｕｎｉｔ）１６と、ルータ１４ＰＡと、端子台１２と、スイッチングＨＵＢ１３ＰＡとを内器として収容するマルチメディアポート１ＰＡとしての情報盤１１を備えている。なお、図１０において、Ｃ１は光ファイバなどの光ケーブル、Ｃ１６，Ｃ１４ＰＡは例えばＩＥＥＥ８０２．３用のメタルＬＡＮケーブル、Ｃ０は加入者線である。
【０００３】
このように、メタルＬＡＮケーブルを媒体の主体として宅内ＬＡＮを構築するマルチメディア配線システムによれば、各部屋で、電話を使用することができるとともに、パソコンでインターネットに接続することができる。
【０００４】
このほか、特許文献１には、宅内の各所に先行配線された配線を利用することによってインターネットに接続できるようにしたマルチメディア配線システムが記載されている。
【０００５】
【特許文献１】
特開２００２−３１４５７４号公報
【０００６】
【発明が解決しようとする課題】
しかしながら、上記従来のマルチメディア配線システムでは、いずれも先行配線にメタルケーブル（メタルＬＡＮケーブル）が使用されており、先行配線に光ケーブルを使用したものがなかった。
【０００７】
また、仮に図１０の構成において、近年、各種提案されている光ハブなどを使用して先行配線に光ケーブルを使用したとしても、その光ケーブル側に電話機を接続して使用することができないという課題がある。
【０００８】
本発明は、上記事情に鑑みてなされたものであり、メタルケーブルに接続された電話機を、従来では接続できなかった光ハブに接続することができるマルチメディア配線システムおよびマルチメディアポートを提供することを目的とする。
【０００９】
【課題を解決するための手段】
上記課題を解決するための請求項１記載の発明は、メタルケーブルを介して電話機と接続される電話コンセントと、光ケーブルを介して端末機器と接続される光コンセントとをそれぞれ複数備えるとともに、各種内器を収容する情報盤を備えるマルチメディア配線システムであって、前記情報盤は、光ケーブルを介してインターネットと接続されるＷＡＮ側光ポートを備えるとともに、ＬＡＮ側光ポートを備え、インターネットとＬＡＮ側との間で送受信されるＩＰパケットの転送を行うルータと、先行配線されたメタルケーブルを介して、相互接続される前記複数の電話コンセントと接続される端子台と、相互通信用の複数の光ポートを備え、これら複数の光ポートのうち、一の光ポートは前記ルータのＬＡＮ側光ポートと接続され、別の一の光ポートは前記端子台側に接続され、残りの光ポートの全部または一部は、先行配線された複数の光ケーブルを介して前記複数の光コンセントとそれぞれ接続される光ハブと、前記別の一の光ポートと前記端子台との間に介設され、前記別の一の光ポートからＩＰ電話用のＩＰパケットを光信号で受信し、そのＩＰパケットから得られるＩＰ電話の通話内容をアナログ電気信号で前記端子台に出力する一方、前記端子台からＩＰ電話の通話内容をアナログ電気信号で受信し、その通話内容を含むＩＰ電話用のＩＰパケットを光信号で前記別の一の光ポートに出力する変換装置とを前記内器として収容することを特徴とする。
【００１０】
請求項２記載の発明は、メタルケーブルを介して電話機と接続される電話コンセントと、光ケーブルを介して端末機器と接続される光コンセントとをそれぞれ複数備えるとともに、各種内器を収容する情報盤と、変換装置とを備えるマルチメディア配線システムであって、前記情報盤は、光ケーブルを介してインターネットと接続されるＷＡＮ側光ポートを備えるとともに、ＬＡＮ側光ポートを備え、インターネットとＬＡＮ側との間で送受信される情報を転送するルータと、先行配線されたメタルケーブルを介して、相互接続される前記複数の電話コンセントと接続される端子台と、相互通信用の複数の光ポートを備え、これら複数の光ポートのうち、一の光ポートは前記ルータのＬＡＮ側光ポートと接続され、残りの光ポートの全部または一部は、先行配線された複数の光ケーブルを介して前記複数の光コンセントとそれぞれ接続される光ハブとを前記内器として収容し、前記変換装置は、前記複数の光コンセントのうちの一の光コンセントと前記複数の電話コンセントのうちの一の電話コンセントとの間に介設され、前記一の光コンセントからＩＰ電話用のＩＰパケットを光信号で受信し、そのＩＰパケットから得られるＩＰ電話の通話内容をアナログ電気信号で前記一の電話コンセントに出力する一方、前記一の電話コンセントからＩＰ電話の通話内容をアナログ電気信号で受信し、その通話内容を含むＩＰ電話用のＩＰパケットを光信号で前記一の光コンセントに出力することを特徴とする。
【００１１】
請求項３記載の発明は、メタルケーブルを介して電話機と接続される電話コンセントと、光ケーブルを介して端末機器と接続される光コンセントとをそれぞれ複数備えるとともに、各種内器を収容する情報盤と、ルータと、変換装置とを備えるマルチメディア配線システムであって、前記情報盤は、先行配線されたメタルケーブルを介して、相互接続される前記複数の電話コンセントと接続される端子台と、相互通信用の複数の光ポートを備え、これら複数の光ポートの全部または一部が、先行配線された複数の光ケーブルを介して前記複数の光コンセントとそれぞれ接続される光ハブとを前記内器として収容し、前記ルータは、光ケーブルを介してインターネットと接続されるＷＡＮ側光ポートを備えるとともに、前記複数の光コンセントのうちの一の光コンセントと光ケーブルを介して接続されるＬＡＮ側光ポートを備え、インターネットとＬＡＮ側との間で送受信される情報を転送し、前記変換装置は、前記複数の光コンセントのうちの別の光コンセントと前記複数の電話コンセントのうちの一の電話コンセントとの間に介設され、前記別の光コンセントからＩＰ電話用のＩＰパケットを光信号で受信し、そのＩＰパケットから得られるＩＰ電話の通話内容をアナログ電気信号で前記一の電話コンセントに出力する一方、前記一の電話コンセントからＩＰ電話の通話内容をアナログ電気信号で受信し、その通話内容を含むＩＰ電話用のＩＰパケットを光信号で前記別の光コンセントに出力することを特徴とする。
【００１２】
請求項４記載の発明は、メタルケーブルを介して電話機と接続される電話コンセントと、光ケーブルを介して端末機器と接続される光コンセントとをそれぞれ複数備えるとともに、各種内器を収容する情報盤と、先行配線されたメタルＬＡＮケーブルを介して前記情報盤と接続されるＬＡＮコンセントと、前記複数の光コンセントのうちの一の光コンセントと前記ＬＡＮコンセントとの間に介設され、前記一の光コンセントからの光信号を電気信号に変換して前記ＬＡＮコンセントに出力する一方、前記ＬＡＮコンセントからの電気信号を光信号に変換して前記一の光コンセントに出力する盤外変換装置とを備えるマルチメディア配線システムであって、前記情報盤は、光ケーブルを介してインターネットと接続されるＷＡＮ側光ポートを備えるとともに、ＬＡＮ側光ポートを備え、インターネットとＬＡＮ側との間で送受信される情報を転送するルータと、先行配線されたメタルケーブルを介して、相互接続される前記複数の電話コンセントと接続される端子台と、相互通信用の複数の光ポートを備え、これら複数の光ポートのうち、一の光ポートは前記ルータのＬＡＮ側光ポートと接続され、残りの光ポートの全部または一部は、先行配線された複数の光ケーブルを介して前記複数の光コンセントとそれぞれ接続される光ハブと、前記ＬＡＮコンセントと前記端子台との間に介設され、前記ＬＡＮコンセントからＩＰ電話用のＩＰパケットを受信し、そのＩＰパケットから得られるＩＰ電話の通話内容をアナログ電気信号で前記端子台に出力する一方、前記端子台からＩＰ電話の通話内容をアナログ電気信号で受信し、電気信号で前記ＬＡＮコンセントに出力する盤内変換装置とを前記内器として収容することを特徴とする。
【００１３】
請求項５記載の発明は、請求項１から４のいずれかに記載のマルチメディア配線システムにおいて、前記端子台は、先行配線された複数のメタルケーブルを介して前記複数の電話コンセントとそれぞれ接続され、それら複数のメタルケーブルを内部配線により相互接続することを特徴とする。
【００１４】
請求項６記載の発明は、請求項１から４のいずれかに記載のマルチメディア配線システムにおいて、前記端子台は、送り配線で先行配線されたメタルケーブルを介して前記複数の電話コンセントとそれぞれ接続されることを特徴とする。
【００１５】
請求項７記載の発明は、請求項１から６のいずれかに記載のマルチメディア配線システムにおける前記情報盤としてのマルチメディアポートである。
【００１６】
【発明の実施の形態】
（第１実施形態）
図１は本発明による第１実施形態のマルチメディア配線システムの構成図、図２は同マルチメディア配線システムにおけるルータの構成図、図３は同マルチメディア配線システムにおける変換装置の構成図である。
【００１７】
第１実施形態のマルチメディア配線システムは、図１に示すように、電話用ツイストペアケーブルなどのメタルケーブルＣ２を介して、電話機８と接続される電話コンセント２と、ＰＯＦ（プラスチック光ファイバ）ケーブルなどの光ケーブルＣ３を介して、端末機器（図１ではパソコン９）と接続されるＰＯＦコンセント３とをそれぞれ複数備えているとともに、マルチメディアポート１を備えている。ただし、パソコン９に光インターフェースが無い場合には、メディアコンバータなどの変換装置がパソコン９に対してさらに使用される。
【００１８】
マルチメディアポート１は、縦寸法が揃うように統一された各種マルチメディア関連機器を内器として収納する情報盤１１であり、ルータ１４と、端子台１２と、光ハブ１３と、変換装置１５とを内器として収容している。
【００１９】
ルータ１４は、光ファイバなどの光ケーブルＣ１を介してインターネットＩＮと接続されるＷＡＮ側光ポート１４１を備えるとともに、ＬＡＮ側光ポート１４２を備え、インターネットＩＮとＬＡＮ側との間で送受信されるＩＰパケットの転送（ルーティング）を行うものである。図２では、インターフェース１３ａ，１３ｂと、物理層制御部１３ｃ，１３ｄと、フラッシュメモリ１３ｅ、メモリ１３ｆおよびＣＰＵ１３ｇよりなる物理層制御部とが、従来のルータと同様に具備されている。そして、ＷＡＮ側とインターフェース１３ｂとの間に介設され、ＷＡＮ側の光信号とインターフェース１３ｂ側の電気信号との相互変換をするＷＡＮ側光ポート１４１には、Ｅ／Ｏ変換部１３ｉなどが含まれ、ＬＡＮ側とインターフェース１３ａとの間に介設され、ＬＡＮ側の光信号とインターフェース１３ａ側の電気信号との相互変換をするＬＡＮ側光ポート１４２には、Ｏ／Ｅ変換部１３ｈなどが含まれる。
【００２０】
図１に戻って、端子台１２は、先行配線された電話用ツイストペアケーブルなどのメタルケーブルＣ１２を介して、相互接続される複数の電話コンセント２と接続されるものである。第１実施形態では、端子台１２は、先行配線された複数のメタルケーブルＣ１２を介して複数の電話コンセント２とそれぞれ接続（スター配線）され、それら複数のメタルケーブルＣ１２を極性別に内部配線により相互接続するようになっている。
【００２１】
光ハブ１３は、相互通信用の複数の光ポートを備える集線装置であり、外部に対する光信号と内部回路に対する電気信号との相互変換をするそれら光ポートのうち、一の光ポート１３１は、光ファイバなどの光ケーブルＣ１４を介してルータ１４のＬＡＮ側光ポート１４２と接続され、別の一の光ポート１３２は、ＰＯＦケーブルなどの光ケーブルＣ１３を介して端子台１５側に接続され、残りの光ポートの全部または一部（図１では全部）は、先行配線された複数の光ケーブルＣ１３を介して複数のＰＯＦコンセント３とそれぞれ接続されている。なお、光ハブ１３は、スイッチングハブとして動作するものでもよい。
【００２２】
変換装置１５は、上記光ポート１３２と光ケーブルＣ１３を介して接続される光ポート１５１と、電話用ツイストペアケーブルなどのメタルケーブルＣ１５を介して端子台１２に接続され、その端子台１２を介して複数の電話コンセント２と接続されるメタルポート１５２とを備え、光ポート１５１を介して光ポート１３２からのＩＰ電話用のＩＰパケットを光信号で受信し、そのＩＰパケットから得られるＩＰ電話の通話内容を、メタルポート１５２を介してアナログ電気信号で端子台１２に出力する一方、メタルポート１５２を介して端子台１２からのＩＰ電話の通話内容をアナログ電気信号で受信し、その通話内容を含むＩＰ電話用のＩＰパケットを、光ポート１５１を介して光信号で光ポート１３２に出力するものである。なお、通話内容には、音声情報が含まれるが、制御情報（発呼ないし着呼時など）のみが含まれる場合もある。
【００２３】
より具体的には、変換装置１５は、マイコン（マイクロコンピュータ）、半導体記憶装置および各種回路部などをさらに含み、着信機能および発信機能などを有している。
【００２４】
着信機能は、図３（ａ）に示すように、光ポート１５１に含まれ、光ポート１３２からのＩＰ電話用のＩＰパケットを光信号で受信して電気信号に変換する信号変換部１５３と、電気信号に変換されたＩＰパケットからＩＰ電話の通話内容をデジタルで得るＩＰパケット化部１５５と、メタルポート１５２に含まれ、デジタルの通話内容をアナログ電気信号に変換して端子台１２に出力する復号化部１５６と、復号化部１５６でアナログ電気信号に変換される通話内容（信号）が持つ遅延を補正するゆらぎ吸収部１５８とにより構成される。
【００２５】
また、図３（ａ）に示すように、ＩＰ電話番号と電話番号との変換用の情報を記憶するデータ参照部１５９と、データ参照部１５９に記憶されている情報を参照して、上記ＩＰパケット内のＩＰ電話番号を電話番号に変換するアドレス変換部１５４とが具備される場合もある。つまり、これらの機能は、電気通信事業者側に設けられる環境下のマルチメディアポート１に対しては省略可能である。
【００２６】
発信機能としては、図３（ｂ）に示すように、メタルポート１５２に含まれ、端子台１２からのＩＰ電話の通話内容をアナログ電気信号で受信してデジタルに変換する符号化部１５７と、デジタルに変換された通話内容を含むＩＰ電話用のＩＰパケットを作成するＩＰパケット化部１５５と、光ポート１５１に含まれ、作成されたＩＰ電話用のＩＰパケットを光信号に変換して光ポート１３２に出力する信号変換部１５３とにより構成される。
【００２７】
また、図３（ｂ）に示すように、データ参照部１５９に記憶されている情報を参照して、上記ＩＰパケット内の電話番号をＩＰ電話番号に変換するアドレス変換部１５４が具備される場合もある。ＩＰ化された電話番号は、ルータ１４を介してインターネットＩＮに送信され、インターネットＩＮと公衆網との間に介在するゲートウェイにより相手先に届けられる。
【００２８】
上記構成のマルチメディア配線システムでは、ＩＰ電話用のＩＰパケットが、光ケーブルＣ１、ルータ１４、光ケーブルＣ１４、光ＨＵＢ１３および光ケーブルＣ１３を介して、光信号で変換装置１５の光ポート１５１に入力すると、光信号によるＩＰ電話用のＩＰパケットが電気信号によるＩＰ電話用のＩＰパケットに変換される。この後、電気信号によるＩＰパケットからＩＰ電話の通話内容がデジタルで得られ、アナログ電気信号に変換される。そして、ＩＰ電話の通話内容が、メタルケーブルＣ１５、端子台１２、メタルケーブルＣ１２および各電話コンセント２を介して、アナログ電気信号で少なくとも一つの電話機８に送信される。
【００２９】
他方、電話機８からのＩＰ電話の通話内容が、メタルケーブルＣ２、電話コンセント２、メタルケーブルＣ１２、端子台１２およびメタルケーブルＣ１５を介して、アナログ電気信号で変換装置１５のメタルポート１５２に入力すると、アナログ電気信号によるＩＰ電話の通話内容がデジタルに変換される。この後、ＩＰ電話の通話内容をデジタル情報で含むＩＰ電話用のＩＰパケットが作成され、光信号によるＩＰ電話用のＩＰパケットに変換される。そして、ＩＰ電話用のＩＰパケットが、光ケーブルＣ１３、光ＨＵＢ１３、光ケーブルＣ１４、ルータ１４および光ケーブルＣ１を介して、光信号でインターネットＩＮに送信される。
【００３０】
以上のようなマルチメディア配線システムによれば、変換装置１５により、メタルケーブルＣ２，Ｃ１２等に接続された電話機８を、従来では接続できなかった光ハブ１３に接続することができる。
【００３１】
また、メタルケーブルＣ２を介して電話機８を電話コンセント２に接続することで、ＩＰ電話による通話が可能となるので、低額料金で電話をかけることができる。
【００３２】
また、複数のＰＯＦコンセント３の各々と光ハブ１３との間をＰＯＦケーブルＣ１３で接続することにより、システム構築費用を安価にし、施工を容易にすることができるほか、大容量で高速の通信が可能になる。
【００３３】
さらに、マルチメディアポート１から、複数の電話コンセント２および複数のＰＯＦコンセント３への各ケーブルが先行配線されるので、ケーブルが露出するなどして美観を損なうことがない。
【００３４】
（第２実施形態）
図４は本発明による第２実施形態のマルチメディア配線システムの構成図である。
【００３５】
第２実施形態のマルチメディア配線システムは、図４に示すように、メタルケーブルＣ２を介して電話機８と接続される電話コンセント２と、光ケーブルＣ３を介して端末機器（パソコン９）などと接続されるＰＯＦコンセント３とを、第１実施形態と同様にそれぞれ複数備えるとともに、第１実施形態との相違点として、マルチメディアポート１Ａと、変換装置５とを備えている。
【００３６】
マルチメディアポート１Ａは、ルータ１４と、端子台１２と、光ハブ１３とを第１実施形態と同様に内器として収容する情報盤１１である。
【００３７】
端子台１２は、第２実施形態でも、先行配線された複数のメタルケーブルＣ１２を介して複数の電話コンセント２とそれぞれ接続され、それら複数のメタルケーブルＣ１２を極性別に内部配線により相互接続するようになっている。
【００３８】
光ハブ１３は、複数の光ポートのうち、一の光ポート１３１が、光ケーブルＣ１４を介してルータ１４のＬＡＮ側光ポート１４２と接続され、残りの光ポートの全部または一部（図４では全部）が、先行配線された複数の光ケーブルＣ１３を介して複数のＰＯＦコンセント３とそれぞれ接続されている。
【００３９】
変換装置５は、複数のＰＯＦコンセント３のうちの一のＰＯＦコンセント３と光ケーブルＣ３を介して接続される光ポート５１と、複数の電話コンセント２のうちの一の電話コンセント２と電話用ツイストペアケーブルなどのメタルケーブルＣ５を介して接続されるメタルポート５２とを備え、光ポート５１を介して上記一のＰＯＦコンセント３からのＩＰ電話用のＩＰパケットを光信号で受信し、そのＩＰパケットから得られるＩＰ電話の通話内容を、メタルポート５２を介してアナログ電気信号で上記一の電話コンセント２に出力する一方、メタルポート５２を介して上記一の電話コンセント２からのＩＰ電話の通話内容をアナログ電気信号で受信し、その通話内容を含むＩＰ電話用のＩＰパケットを、光ポート５１を介して光信号で上記一のＰＯＦコンセント３に出力するものである。なお、具体構成は図３と同様である。
【００４０】
上記構成のマルチメディア配線システムでは、ＩＰ電話用のＩＰパケットが、光ケーブルＣ１、ルータ１４、光ケーブルＣ１４、光ＨＵＢ１３、光ケーブルＣ１３、一のＰＯＦコンセント３および光ケーブルＣ３を介して、光信号で変換装置５の光ポート５１に入力すると、光信号によるＩＰ電話用のＩＰパケットが電気信号によるＩＰ電話用のＩＰパケットに変換される。この後、電気信号によるＩＰパケットからＩＰ電話の通話内容がデジタルで得られ、アナログ電気信号に変換される。そして、ＩＰ電話の通話内容が、メタルケーブルＣ５、一の電話コンセント２、メタルケーブルＣ１２、端子台１２、メタルケーブルＣ１２および他の電話コンセント２を介して、アナログ電気信号で少なくとも一つの電話機８に送信される。
【００４１】
他方、電話機８からのＩＰ電話の通話内容が、メタルケーブルＣ２、電話コンセント２、メタルケーブルＣ１２、端子台１２、メタルケーブルＣ１２、一の電話コンセント２およびメタルケーブルＣ５を介して、アナログ電気信号で変換装置５のメタルポート５２に入力すると、アナログ電気信号によるＩＰ電話の通話内容がデジタルに変換される。この後、ＩＰ電話の通話内容をデジタル情報で含むＩＰ電話用のＩＰパケットが作成され、光信号によるＩＰ電話用のＩＰパケットに変換される。そして、ＩＰ電話用のＩＰパケットが、光ケーブルＣ３、一のＰＯＦコンセント３、光ケーブルＣ１３、光ＨＵＢ１３、光ケーブルＣ１４、ルータ１４および光ケーブルＣ１を介して、光信号でインターネットＩＮに送信される。
【００４２】
以上のようなマルチメディア配線システムによれば、変換装置５により、メタルケーブルＣ２，Ｃ１２等に接続された電話機８を、従来では接続できなかった光ハブ１３に接続することができる。
【００４３】
また、メタルケーブルＣ２を介して電話機８を電話コンセント２に接続することで、ＩＰ電話による通話が可能となるので、低額料金で電話をかけることができる。
【００４４】
また、複数のＰＯＦコンセント３の各々と光ハブ１３との間をＰＯＦケーブルＣ１３で接続することにより、システム構築費用を安価にし、施工を容易にすることができるほか、大容量で高速の通信が可能になる。
【００４５】
さらに、マルチメディアポート１Ａから、複数の電話コンセント２および複数のＰＯＦコンセント３への各ケーブルが先行配線されるので、ケーブルが露出するなどして美観を損なうことがない。
【００４６】
（第３実施形態）
図５は本発明による第３実施形態のマルチメディア配線システムの構成図である。
【００４７】
第３実施形態のマルチメディア配線システムは、図５に示すように、メタルケーブルＣ２を介して電話機８と接続される電話コンセント２と、光ケーブルＣ３を介して端末機器（パソコン９）などと接続されるＰＯＦコンセント３とを、第１実施形態と同様にそれぞれ複数備えるとともに、第１実施形態との相違点として、マルチメディアポート１Ｂと、ルータ４と、変換装置５とを備えている。
【００４８】
マルチメディアポート１Ｂは、端子台１２と、光ハブ１３とを第１実施形態と同様に内器として収容する情報盤１１である。
【００４９】
端子台１２は、第３実施形態でも、先行配線された複数のメタルケーブルＣ１２を介して複数の電話コンセント２とそれぞれ接続され、それら複数のメタルケーブルＣ１２を極性別に内部配線により相互接続するようになっている。
【００５０】
光ハブ１３は、複数の光ポートの全部または一部（図５では全部）が、先行配線された複数の光ケーブルＣ１３を介して複数のＰＯＦコンセント３とそれぞれ接続されている。
【００５１】
ルータ４は、光ケーブルＣ１を介してインターネットＩＮと接続されるＷＡＮ側光ポート４１を備えるとともに、複数のＰＯＦコンセント３のうちの一のＰＯＦコンセント３と光ケーブルＣ３を介して接続されるＬＡＮ側光ポート４２を備え、インターネットＩＮとＬＡＮ側との間で送受信される情報を転送するものである。
【００５２】
変換装置５は、第２実施形態と同様であり、複数のＰＯＦコンセント３のうちの別のＰＯＦコンセント３と光ケーブルＣ３を介して接続される光ポート５１と、複数の電話コンセント２のうちの一の電話コンセント２とメタルケーブルＣ５を介して接続されるメタルポート５２とを備え、光ポート５１を介して上記別のＰＯＦコンセント３からＩＰ電話用のＩＰパケットを光信号で受信し、そのＩＰパケットから得られるＩＰ電話の通話内容を、メタルポート５２を介してアナログ電気信号で上記一の電話コンセント２に出力する一方、メタルポート５２を介して上記一の電話コンセントからＩＰ電話の通話内容をアナログ電気信号で受信し、その通話内容を含むＩＰ電話用のＩＰパケットを、光ポート５１を介して光信号で上記別のＰＯＦコンセント３に出力するものである。
【００５３】
上記構成のマルチメディア配線システムでは、ＩＰ電話用のＩＰパケットが、光ケーブルＣ１、ルータ４、光ケーブルＣ３、一のＰＯＦコンセント３、光ケーブルＣ１３、光ＨＵＢ１３、光ケーブルＣ１３、別のＰＯＦコンセント３および光ケーブルＣ３を介して、光信号で変換装置５の光ポート５１に入力すると、光信号によるＩＰ電話用のＩＰパケットが電気信号によるＩＰ電話用のＩＰパケットに変換される。この後、電気信号によるＩＰパケットからＩＰ電話の通話内容がデジタルで得られ、アナログ電気信号に変換される。そして、ＩＰ電話の通話内容が、メタルケーブルＣ５、一の電話コンセント２、メタルケーブルＣ１２、端子台１２、メタルケーブルＣ１２および他の電話コンセント２を介して、アナログ電気信号で少なくとも一つの電話機８に送信される。
【００５４】
他方、電話機８からのＩＰ電話の通話内容が、メタルケーブルＣ２、電話コンセント２、メタルケーブルＣ１２、端子台１２、メタルケーブルＣ１２、一の電話コンセント２およびメタルケーブルＣ５を介して、アナログ電気信号で変換装置５のメタルポート５２に入力すると、アナログ電気信号によるＩＰ電話の通話内容がデジタルに変換される。この後、ＩＰ電話の通話内容をデジタル情報で含むＩＰ電話用のＩＰパケットが作成され、光信号によるＩＰ電話用のＩＰパケットに変換される。そして、ＩＰ電話用のＩＰパケットが、光ケーブルＣ３、別のＰＯＦコンセント３、光ケーブルＣ１３、光ＨＵＢ１３、光ケーブルＣ１３、一のＰＯＦコンセント３、光ケーブルＣ３、ルータ４および光ケーブルＣ１を介して、光信号でインターネットＩＮに送信される。
【００５５】
以上のようなマルチメディア配線システムによれば、変換装置５により、メタルケーブルＣ２，Ｃ１２等に接続された電話機８を、従来では接続できなかった光ハブ１３に接続することができる。
【００５６】
また、メタルケーブルＣ２を介して電話機８を電話コンセント２に接続することで、ＩＰ電話による通話が可能となるので、低額料金で電話をかけることができる。
【００５７】
また、複数のＰＯＦコンセント３の各々と光ハブ１３との間をＰＯＦケーブルＣ１３で接続することにより、システム構築費用を安価にし、施工を容易にすることができるほか、大容量で高速の通信が可能になる。
【００５８】
さらに、マルチメディアポート１Ｂから、複数の電話コンセント２および複数のＰＯＦコンセント３への各ケーブルが先行配線されるので、ケーブルが露出するなどして美観を損なうことがない。
【００５９】
（第４実施形態）
図６は本発明による第４実施形態のマルチメディア配線システムの構成図、図７は同マルチメディア配線システムにおける盤外の変換装置の構成図、図８は同マルチメディア配線システムにおける盤内の変換装置の構成図である。
【００６０】
第４実施形態のマルチメディア配線システムは、図６に示すように、メタルケーブルＣ２を介して電話機８と接続される電話コンセント２と、光ケーブルＣ３を介して端末機器（パソコン９）などと接続されるＰＯＦコンセント３とを、第１実施形態と同様にそれぞれ複数備えるとともに、第１実施形態との相違点として、ＬＡＮコンセント６と、盤外の変換装置５０と、マルチメディアポート１Ｃとを備えている。
【００６１】
ＬＡＮコンセント６は、例えば、ＩＥＥＥ８０２．３用のモジュラジャックコンセントであり、ＩＥＥＥ８０２．３用のメタルＬＡＮケーブルＣ６を介してマルチメディアポート１Ｃと接続される。
【００６２】
変換装置５０は、複数のＰＯＦコンセント３のうちの一のＰＯＦコンセント３と光ケーブルＣ３を介して接続される光ポート５０１と、例えばＩＥＥＥ８０２．３用のモジュラプラグ付きのメタルＬＡＮケーブルＣ５０を介してＬＡＮコンセント６と接続されるメタルポート５０２とを備え、上記一のＰＯＦコンセント３からの光信号を電気信号に変換してＬＡＮコンセント６に出力する一方、ＬＡＮコンセント６からの電気信号を光信号に変換して上記一のＰＯＦコンセント３に出力するものである。
【００６３】
より具体的には、変換装置５０は、図７に示すように、上記一のＰＯＦコンセント３からのＩＰ電話用のＩＰパケットを光信号で受信する光信号受信部５０３と、受信した光信号によるＩＰパケットを電気信号によるＩＰパケットに変換して、ＬＡＮコンセント６に送信するＯ／Ｅ変換部５０４と、ＬＡＮコンセント６からのＩＰ電話用のＩＰパケットを電気信号で受信して光信号によるＩＰパケットに変換するＥ／Ｏ変換部５０５と、光信号によるＩＰパケットを上記一のＰＯＦコンセント３に送信する光信号送信部５０６とにより構成される。なお、光信号受信部５０３，光信号送信部５０６は光ポート５０１に含まれ、Ｏ／Ｅ変換部５０４，Ｅ／Ｏ変換部５０５はメタルポート５０２に含まれる。
【００６４】
図６に戻って、マルチメディアポート１Ｃは、ルータ１４と、端子台１２と、光ハブ１３と、変換装置１５Ａとを内器として収容する情報盤１１である。
【００６５】
ルータ１４、端子台１２および光ハブ１３は、第１実施形態と同様であり、第４実施形態でも、端子台１２は、先行配線された複数のメタルケーブルＣ１２を介して複数の電話コンセント２とそれぞれ接続され、それら複数のメタルケーブルＣ１２を極性別に内部配線により相互接続するようになっている。光ハブ１３は、複数の光ポートのうち、一の光ポート１３１が、光ケーブルＣ１４を介してルータ１４のＬＡＮ側光ポート１４２と接続され、残りの光ポートの全部または一部（図６では全部）が、先行配線された複数の光ケーブルＣ１３を介して複数のＰＯＦコンセント３とそれぞれ接続されている。
【００６６】
変換装置１５Ａは、メタルＬＡＮケーブルＣ６を介してＬＡＮコンセント６と接続されるメタルポート１５１Ａと、メタルケーブルＣ１５を介して端子台１２と接続されるメタルポート１５２とを備え、メタルポート１５１Ａを介してＬＡＮコンセント６からＩＰ電話用のＩＰパケットを電気信号で受信し、そのＩＰパケットから得られるＩＰ電話の通話内容を、メタルポート１５２を介してアナログ電気信号で端子台１２に出力する一方、メタルポート１５２を介して端子台１２からＩＰ電話の通話内容をアナログ電気信号で受信し、その通話内容を含むＩＰ電話用のＩＰパケットを、メタルポート１５１Ａを介して電気信号でＬＡＮコンセント６に出力するものである。
【００６７】
より具体的には、変換装置１５Ａは、マイコン、半導体記憶装置および各種回路部などをさらに含み、着信機能および発信機能などを有している。
【００６８】
着信機能は、図８（ａ）に示すように、ＬＡＮコンセント６からの電気信号によるＩＰ電話用のＩＰパケットから、ＩＰ電話の通話内容をデジタルで得るＩＰパケット化部１５５と、デジタルの通話内容をアナログ電気信号に変換して端子台１２に出力する復号化部１５６と、復号化部１５６でアナログ電気信号に変換される通話内容（信号）が持つ遅延を補正するゆらぎ吸収部１５８とにより構成される。
【００６９】
また、図８（ａ）に示すように、ＩＰ電話番号と電話番号との変換用の情報を記憶するデータ参照部１５９と、データ参照部１５９に記憶されている情報を参照して、上記ＩＰパケット内のＩＰ電話番号を電話番号に変換するアドレス変換部とが具備される場合もある。
【００７０】
発信機能としては、図８（ｂ）に示すように、端子台１２からのＩＰ電話の通話内容をアナログ電気信号で受信してデジタルに変換する符号化部１５７と、デジタルに変換された通話内容を含むＩＰ電話用のＩＰパケットを作成して、電気信号でＬＡＮコンセント６に出力するＩＰパケット化部１５５とにより構成される。
【００７１】
また、図８（ｂ）に示すように、データ参照部１５９に記憶されている情報を参照して、上記ＩＰパケット内の電話番号をＩＰ電話番号に変換するアドレス変換部１５４が具備される場合もある。
【００７２】
上記構成のマルチメディア配線システムでは、ＩＰ電話用のＩＰパケットが、光ケーブルＣ１、ルータ１４、光ケーブルＣ１４、光ＨＵＢ１３、光ケーブルＣ１３、一のＰＯＦコンセント３および光ケーブルＣ３を介して、光信号で変換装置５０の光ポート５０１に入力すると、光信号によるＩＰ電話用のＩＰパケットが電気信号によるＩＰ電話用のＩＰパケットに変換され、メタルＬＡＮケーブルＣ５０、ＬＡＮコンセント６およびメタルＬＡＮケーブルＣ６を介して、変換装置１５Ａのメタルポート１５１Ａに出力される。この後、変換装置１５Ａにおいて、電気信号によるＩＰパケットからＩＰ電話の通話内容がデジタルで得られ、アナログ電気信号に変換される。そして、ＩＰ電話の通話内容が、メタルケーブルＣ１５、端子台１２、メタルケーブルＣ１２および各電話コンセント２を介して、アナログ電気信号で少なくとも一つの電話機８に送信される。
【００７３】
他方、電話機８からのＩＰ電話の通話内容が、メタルケーブルＣ２、電話コンセント２、メタルケーブルＣ１２、端子台１２およびメタルケーブルＣ１５を介して、アナログ電気信号で変換装置１５Ａのメタルポート１５２に入力すると、アナログ電気信号によるＩＰ電話の通話内容がデジタルに変換される。この後、変換装置１５Ａにおいて、ＩＰ電話の通話内容をデジタル情報で含むＩＰ電話用のＩＰパケットが作成され、メタルＬＡＮケーブルＣ６、ＬＡＮコンセント６およびメタルＬＡＮケーブルＣ５０を介して、電気信号で変換装置５０のメタルポート５０２に出力される。そして、変換装置５０において、電気信号によるＩＰ電話用のＩＰパケットが光信号によるＩＰ電話用のＩＰパケットに変換され、光ケーブルＣ３、一のＰＯＦコンセント３、光ケーブルＣ１３、光ＨＵＢ１３、光ケーブルＣ１４、ルータ１４および光ケーブルＣ１を介して、インターネットＩＮに送信される。
【００７４】
以上のようなマルチメディア配線システムによれば、変換装置１５Ａ，５０により、メタルケーブルＣ２，Ｃ１２等に接続された電話機８を、従来では接続できなかった光ハブ１３に接続することができる。
【００７５】
また、メタルケーブルＣ２を介して電話機８を電話コンセント２に接続することで、ＩＰ電話による通話が可能となるので、低額料金で電話をかけることができる。
【００７６】
また、複数のＰＯＦコンセント３の各々と光ハブ１３との間をＰＯＦケーブルＣ１３で接続することにより、システム構築費用を安価にし、施工を容易にすることができるほか、大容量で高速の通信が可能になる。
【００７７】
さらに、マルチメディアポート１Ｃから、複数の電話コンセント２および複数のＰＯＦコンセント３への各ケーブルが先行配線されるので、ケーブルが露出するなどして美観を損なうことがない。
【００７８】
（第５実施形態）
図９は本発明による第５実施形態のマルチメディア配線システムの構成図である。
【００７９】
第５実施形態のマルチメディア配線システムは、第１〜第４実施形態のいずれかにおいて、端子台１２が、送り配線で先行配線されたメタルケーブルを介して複数の電話コンセント２とそれぞれ接続されることを特徴とする。
【００８０】
例えば、第１実施形態においては、図９に示すように、端子台１２が、送り配線で先行配線されたメタルケーブルＣ１２を介して複数の電話コンセント２とそれぞれ接続（バス接続）されるのである。
【００８１】
このような構成でも、上記各実施形態と同様の効果が得られるほか、メタルケーブルＣ１２の施工を簡単化することができる。
【００８２】
【発明の効果】
以上のことから明らかなように、請求項１記載の発明によれば、変換装置により、メタルケーブルに接続された電話機を、従来では接続できなかった光ハブに接続することができる。また、メタルケーブルを介して電話機を電話コンセントに接続することで、ＩＰ電話による通話が可能となるので、低額料金で電話をかけることができる。さらに、情報盤から、複数の電話コンセントおよび複数の光コンセントへの各ケーブルが先行配線されるので、ケーブルが露出するなどして美観を損なうことがない。
【００８３】
請求項２記載の発明によれば、変換装置により、メタルケーブルに接続された電話機を、従来では接続できなかった光ハブに接続することができる。また、メタルケーブルを介して電話機を電話コンセントに接続することで、ＩＰ電話による通話が可能となるので、低額料金で電話をかけることができる。さらに、情報盤から、複数の電話コンセントおよび複数の光コンセントへの各ケーブルが先行配線されるので、ケーブルが露出するなどして美観を損なうことがない。
【００８４】
請求項３記載の発明によれば、変換装置により、メタルケーブルに接続された電話機を、従来では接続できなかった光ハブに接続することができる。また、メタルケーブルを介して電話機を電話コンセントに接続することで、ＩＰ電話による通話が可能となるので、低額料金で電話をかけることができる。さらに、情報盤から、複数の電話コンセントおよび複数の光コンセントへの各ケーブルが先行配線されるので、ケーブルが露出するなどして美観を損なうことがない。
【００８５】
請求項４記載の発明によれば、盤外変換装置および盤内変換装置により、メタルケーブルに接続された電話機を、従来では接続できなかった光ハブに接続することができる。また、メタルケーブルを介して電話機を電話コンセントに接続することで、ＩＰ電話による通話が可能となるので、低額料金で電話をかけることができる。さらに、情報盤から、複数の電話コンセントおよび複数の光コンセントへの各ケーブルが先行配線されるので、ケーブルが露出するなどして美観を損なうことがない。
【００８６】
請求項５記載の発明によれば、各電話コンセントを端子台で相互接続することができる。
【００８７】
請求項６記載の発明によれば、送り配線のメタルケーブルによって各電話コンセントを相互接続することができ、メタルケーブルの施工を簡単化することができる。
【００８８】
請求項７記載の発明によれば、メタルケーブルに接続された電話機を、従来では接続できなかった光ハブに接続することができるようになる。
【図面の簡単な説明】
【図１】本発明による第１実施形態のマルチメディア配線システムの構成図である。
【図２】同マルチメディア配線システムにおけるルータの構成図である。
【図３】同マルチメディア配線システムにおける変換装置の構成図である。
【図４】本発明による第２実施形態のマルチメディア配線システムの構成図である。
【図５】本発明による第３実施形態のマルチメディア配線システムの構成図である。
【図６】本発明による第４実施形態のマルチメディア配線システムの構成図である。
【図７】同マルチメディア配線システムにおける盤外の変換装置の構成図である。
【図８】同マルチメディア配線システムにおける盤内の変換装置の構成図である。
【図９】本発明による第５実施形態のマルチメディア配線システムの構成図である。
【図１０】従来のマルチメディア配線システムの構成例を示す図である。
【符号の説明】
１，１Ａ，１Ｂ，１Ｃ  マルチメディアポート
１１  情報盤
１２  端子台
１３  光ハブ
１４  ルータ
１５，１５Ａ  変換装置
２  電話コンセント
３  ＰＯＦコンセント
４  ルータ
５  変換装置
５０  変換装置
６  ＬＡＮコンセント
８  電話機
９  パソコン
【図１】
2004356768.tif 000003
【図２】
2004356768.tif 000004
【図３】
2004356768.tif 000005
【図４】
2004356768.tif 000006
【図５】
2004356768.tif 000007
【図６】
2004356768.tif 000008
【図７】
2004356768.tif 000009
【図８】
2004356768.tif 000010
【図９】
2004356768.tif 000011
【図１０】
2004356768.tif 000012